(57)【要約】【課題】所定の操作に対してリード線の配線が不要なリモコン機能付き電気装置およびリモコン機能付き非常用照明装置を提供する。【解決手段】リモコン機能付き非常用照明装置１は、受光素子１８に受信されるパルス信号を遮断する遮断部材２０を有し、所定の操作が実行されたときに遮断部材２０によりパルス信号が遮断されるように構成されたパルス信号遮断手段と、点検手段１２に対して点検動作を実行させる第１の制御信号を出力するとともに、赤外線受信手段１８，１９がパルス信号を受信しているか否かに応じて第２の制御信号を出力するように構成された制御手段２１を具備している。【選択図】図１
2008066958.tif 000002
【特許請求の範囲】
【請求項１】
赤外線を発光する発光素子を有し、この発光素子から定期的にパルス信号を送信するとともに、外部のリモコン装置に対して赤外線信号を送信可能に構成された赤外線送信手段と；
赤外線を受光する受光素子を有し、この受光素子が前記パルス信号を受信し、かつ外部のリモコン装置から送信された赤外線信号を受信可能に構成された赤外線受信手段と；
前記受光素子に受信される前記パルス信号を遮断可能な遮断部材を有し、所定の操作が実行されたときに前記遮断部材により前記パルス信号が遮断されるように構成されたパルス信号遮断手段と；
赤外線受信手段が受信した外部のリモコン装置から送信された赤外線信号に応じて第１の制御信号を出力するとともに、赤外線受信手段が前記パルス信号を受信しているか否かに応じて第２の制御信号を出力するように構成された制御手段と；
を具備していることを特徴とするリモコン機能付き電気装置。
【請求項２】
赤外線送信手段は、赤外線受信手段が外部のリモコン装置から送信された赤外線信号を受信したときに前記パルス信号の送信を停止させることを特徴とする請求項１記載のリモコン機能付き電気装置。
【請求項３】
ランプと；
通常時に商用電源からの電力にて充電される非常用電源と；
通常時は商用電源からの電力にて前記ランプを点灯させ、非常時は前記非常用電源からの電力にて前記ランプを点灯させる点灯回路と；
前記ランプと前記非常用電源の点検を行う点検手段と；
赤外線を発光する発光素子を有し、この発光素子から定期的にパルス信号を送信するとともに、外部のリモコン装置に対して点検手段による点検結果の情報信号を送信可能に構成された赤外線送信手段と；
赤外線を受光する受光素子を有し、この受光素子が前記パルス信号を受信し、かつ外部のリモコン装置から送信された点検手段に対する点検動作の指令信号を受信可能に構成された赤外線受信手段と；
前記受光素子に受信される前記パルス信号を遮断可能な遮断部材を有し、所定の操作が実行されたときに前記遮断部材により前記パルス信号が遮断されるように構成されたパルス信号遮断手段と；
赤外線受信手段が外部のリモコン装置から送信された点検手段に対する点検動作の指令信号を受信したときに点検手段に対して点検動作を実行させる第１の制御信号を出力するとともに、赤外線受信手段が前記パルス信号を受信しているか否かに応じて第２の制御信号を出力するように構成された制御手段と；
を具備していることを特徴とするリモコン機能付き非常用照明装置。
【発明の詳細な説明】
【技術分野】
【０００１】
本発明は、リモコン装置からの制御信号に応じて動作するリモコン機能付き電気装置およびリモコン機能付き非常用照明装置に関する。
【背景技術】
【０００２】
この種のリモコン機能付き電気装置においては、リモコン装置からの制御信号に応じて所定の動作を実行するとともに、当該動作の状態などをリモコン装置に返信するものが知られている。例えば、誘導灯装置においても、リモコン装置から送信された指令により、バッテリ電圧やランプの点灯状況などの点検作業を自動的に実行し、リモコン装置からの読み出し指令により、バッテリ電圧およびランプ点灯状況の他に、使用部品情報やバッテリおよびランプの積算使用時間の各情報をリモコン装置に送信して、当該情報をリモコン装置に取得させるものが提案されている（例えば特許文献１参照。）。この従来技術の誘導灯装置は、例えばランプの積算使用時間により、ランプの交換時期を容易に判断することができて適切にランプ交換が行えるというものである。
【０００３】
しかし、例えばランプ交換を行うと、ランプの積算使用時間のリセットを行う必要がある。また、誘導灯器具と中央制御装置とを伝送線で接続し、データ通信技術を利用して前記点検作業を行う自動点検システムが採用されており、この自動点検システムでは、ランプ交換の日時を記憶させることが望まれている。
【０００４】
従来、ランプ交換が行われると、スイッチをオンオフ操作し、このオンオフ操作が制御部で検出されることにより、ランプの積算使用時間のリセットやランプ交換の日時の設定が行われている。
【特許文献１】特開２００３−９２０１３号公報（第４頁、図１）
【発明の開示】
【発明が解決しようとする課題】
【０００５】
ランプの積算使用時間のリセットやランプ交換の日時の設定のために、スイッチを用いると、スイッチと制御部とを接続するリード線の配線が必要となり、接続端子やコネクタピンの数量も増加するので、省スペース化が阻害されるおそれがあり、また、コストアップするという問題がある。
【０００６】
本発明は、所定の操作に対してリード線の配線が不要なリモコン機能付き電気装置およびリモコン機能付き非常用照明装置を提供することを目的とする。
【課題を解決するための手段】
【０００７】
請求項１に記載のリモコン機能付き電気装置の発明は、赤外線を発光する発光素子を有し、この発光素子から定期的にパルス信号を送信するとともに、外部のリモコン装置に対して赤外線信号を送信可能に構成された赤外線送信手段と；赤外線を受光する受光素子を有し、この受光素子が前記パルス信号を受信し、かつ外部のリモコン装置から送信された赤外線信号を受信可能に構成された赤外線受信手段と；前記受光素子に受信される前記パルス信号を遮断可能な遮断部材を有し、所定の操作が実行されたときに前記遮断部材により前記パルス信号が遮断されるように構成されたパルス信号遮断手段と；赤外線受信手段が受信した外部のリモコン装置から送信された赤外線信号に応じて第１の制御信号を出力するとともに、赤外線受信手段が前記パルス信号を受信しているか否かに応じて第２の制御信号を出力するように構成された制御手段と；を具備していることを特徴とする。
【０００８】
本発明および以下の各発明において、特に言及しない限り、各構成は以下による。
【０００９】
パルス信号は、リモコン装置から送信される赤外線信号のリーダコード信号の幅よりも短いパルス幅を有する信号であればよく、１パルス信号、２パルス信号などは問わない。
【００１０】
遮断部材は、赤外線送信手段から送信されたパルス信号が赤外線受信手段で受信されることを制御できるものであればどのような構成であってもよい。
【００１１】
「所定の操作」とは、パルス信号を赤外線受信手段に受信させ、または受信させなくすることであり、例えば遮断部材を移動させることであり、手動または自動を問わない。
【００１２】
第1の制御信号は、電気装置にリモコン装置からの赤外線信号に応じた動作を行わせ、また、その動作状態の変更を実行させる制御信号であり、第２の制御信号は、電気装置に所定の操作に応じた特定の動作を実行させる制御信号である。
【００１３】
本発明によれば、所定の操作が実行されたとき、遮断部材によって赤外線送信手段から定期的に送信されているパルス信号が赤外線受信手段に受信されなくなり、あるいは受信されるようになり、これに応じて制御手段から第２の制御信号を出力されて電気装置が制御される。
【００１４】
請求項２に記載のリモコン機能付き電気装置の発明は、請求項１記載のリモコン機能付き電気装置において、赤外線送信手段は、赤外線受信手段が外部のリモコン装置から送信された赤外線信号を受信したときに前記パルス信号の送信を停止させることを特徴とする。
【００１５】
本発明によれば、リモコン装置からの赤外線信号と赤外線送信手段からのパルス信号の混在が防止され、制御手段は、外部のリモコン装置から送信された赤外線信号のみを判断して、当該赤外線信号に応じた第１の制御信号を出力する。
【００１６】
請求項３に記載のリモコン機能付き非常用照明装置の発明は、ランプと；通常時に商用電源からの電力にて充電される非常用電源と；通常時は商用電源からの電力にて前記ランプを点灯させ、非常時は前記非常用電源からの電力にて前記ランプを点灯させる点灯回路と；前記ランプと前記非常用電源の点検を行う点検手段と；赤外線を発光する発光素子を有し、この発光素子から定期的にパルス信号を送信するとともに、外部のリモコン装置に対して点検手段による点検結果の情報信号を送信可能に構成された赤外線送信手段と；赤外線を受光する受光素子を有し、この受光素子が前記パルス信号を受信し、かつ外部のリモコン装置から送信された点検手段に対する点検動作の指令信号を受信可能に構成された赤外線受信手段と；前記受光素子に受信される前記パルス信号を遮断可能な遮断部材を有し、所定の操作が実行されたときに前記遮断部材により前記パルス信号が遮断されるように構成されたパルス信号遮断手段と；赤外線受信手段が外部のリモコン装置から送信された点検手段に対する点検動作の指令信号を受信したときに点検手段に対して点検動作を実行させる第１の制御信号を出力するとともに、赤外線受信手段が前記パルス信号を受信しているか否かに応じて第２の制御信号を出力するように構成された制御手段と；を具備していることを特徴とする。
【００１７】
非常用照明装置は、誘導灯装置または非常灯装置のいずれであってもよい。
【００１８】
点灯回路は、通常時は商用電源からの電力によりランプを点灯させ、非常時に商用電源からの電力が遮断された際に、その商用電源からの電力遮断を検出して、非常用電源からの電力にてランプを点灯させると共に、通常時に非常用電源を充電するための充電手段を有している。ここで、「通常時は商用電源からの電力によりランプを点灯させる」とは、点灯回路は、人体の存否に応じてランプを点灯または消灯可能に構成されているもの、建物の外側の階段などの明るい箇所では消灯させるものを包含する。
【００１９】
本発明によれば、所定の操作が実行されると、遮断部材によって赤外線送信手段から定期的に送信されているパルス信号が赤外線受信手段に受信されなくなり、あるいは受信されるようになり、これに応じて制御手段から第２の制御信号を出力されて非常用照明装置が制御される。
【発明の効果】
【００２０】
請求項１の発明によれば、所定の操作を実行することにより、遮断部材によって赤外線受信手段によるパルス信号の受信が制御され制御手段から第２の制御信号を出力されて電気装置が制御されるので、所定の操作を制御手段に検知させるためのリード線の配線、接続端子やコネクタピンなどの増加が不要となり、この結果、電気装置の省スペース化、低コスト化を図ることができる。
【００２１】
請求項２の発明によれば、リモコン装置からの赤外線信号と赤外線送信手段からのパルス信号の混在が防止されるので、制御手段は、外部のリモコン装置から送信された赤外線信号に応じた第１の制御信号を出力することができて、電気装置の誤動作を防止することができる。
【００２２】
請求項３の発明によれば、所定の操作を実行することにより、遮断部材によって赤外線受信手段によるパルス信号の受信が制御され制御手段から第２の制御信号を出力されて非常用照明装置が制御されるので、所定の操作を制御手段に検知させるためのリード線の配線、接続端子やコネクタピンなどの増加が不要となり、この結果、非常用照明装置の省スペース化、低コスト化を図ることができる。
【発明を実施するための最良の形態】
【００２３】
以下、本発明の一実施の形態について、図面を参照して説明する。まず、本発明の第１の実施形態について説明する。
【００２４】
図１ないし図５は、本発明の第１の実施形態を示し、図１は誘導灯器具であり、（ａ）は一部切り欠き概略正面図、（ｂ）は概略側面図、図２は誘導灯器具の一部概略下面図、図３は誘導灯器具であり、（ａ）は一部概略側断面図、（ｂ）は（ａ）のＡ−Ａ方向の概略断面図、図４は誘導灯器具点検システムの全体構成を示すブロッ図、図５は誘導灯器具の構成を示すブロック図である。
【００２５】
図１に示す誘導灯器具１は、リモコン機能付き非常用照明装置である。誘導灯器具１は、図４に示すように、複数個が伝送線２を介して制御盤３に収納されている制御装置４に接続され、制御装置４との間で誘導灯器具点検システム５を構成している。すなわち、誘導灯器具１は、個別に制御装置４からの制御信号や要求信号を受信し、制御装置４に各種情報を送信可能に構成されている。
【００２６】
誘導灯器具１は、図１に示すように、略正方形状の略箱状に形成された器具本体６およびこの器具本体６の前面側に取付バネ７により固定され、表示パネル８を配設している化粧枠９を有して形成されている。そして、図５に示すように、器具本体６内にそれぞれ配置されているランプ１０、非常用電源１１を含んで構成された点検手段を構成する電源部１２、点灯回路１３、モニター部１４、点検手段を構成する操作部１５、赤外線送信手段としての赤外線発光ダイオード（以下、赤外ＬＥＤという。）１６を有する赤外ＬＥＤ発光部１７、赤外線を受光するフォトトランジスタ１８を有する赤外線受光検知部１９、パルス信号遮断手段を構成する遮断部材２０、制御手段としての制御部２１、記憶部２２および伝送部２３を有して構成されている。そして、これらは、図１（ａ）に示すように、器具本体６に取り付けられたシャーシ２５に配置されている。
【００２７】
非常用電源１１を除く電源部１２、点灯回路１３、制御部２１、記憶部２２および伝送部２３は、点灯ユニット２６内に設けられている。また、モニター部１４および操作部１５は、点検モジュール２７に設けられ、赤外ＬＥＤ発光部１７および赤外線受光検知部１９は、リモコンモジュール２８に設けられている。
【００２８】
ランプ１０は、例えば冷陰極蛍光ランプであり、器具本体６の上部側でシャーシ２５に取り付けられたランプソケット２９，２９に装着されている。そして、ランプ１０からの放射光が表示板８に導光されるようにランプカバー３０で包囲されている。
【００２９】
非常用電源１１は、例えばバッテリからなり、器具本体６の下部側に配置されており、通常時に商用交流電源Ｖｓからの電力にて充電される。
【００３０】
電源部１２は、通常時に、商用交流電源Ｖｓの交流電圧を所定の直流電圧に変換して非常用電源１１に供給するとともに、商用交流電源Ｖｓの電力を点灯回路１３に供給する。そして、非常時には、非常用電源１１の電力を点灯回路１３に供給するように構成されている。
【００３１】
点灯回路１３は、通常時に商用交流電源Ｖｓからの電力にてランプ１０を点灯させ、非常時に非常用電源１１の電力にてランプ１０点灯させるように構成されている。
【００３２】
モニター部１４は、器具本体６の下部側に設けられた点検モジュール２７に配置されており、非常用電源１１の充電状態やランプ１０の点灯状態をそれぞれ表示するＬＥＤからなる充電モニター３１や点灯モニター３２を有して構成されている。充電モニター３１や点灯モニター３２は、図２に示すように、器具本体６の下面６ａに設けられた孔３３，３４にそれぞれ露出している。
【００３３】
また、操作部１５は、点検モジュール２７に配置されており、器具本体６の下面６ａに設けられた孔３５から外部に引き出された引き紐３６や切換スイッチ（図示しない。）を有して構成されている。引き紐３６が引っ張られて、切換スイッチが切り換わると、制御部２１は、電源部１２に対して通常時の状態から非常時の状態に強制的に変更させる。すなわち、ランプ１０と非常用電源１１の点検動作を実行させる。
【００３４】
赤外ＬＥＤ発光部１７および赤外線受光検知部１９は、器具本体６の下部側に設けられたリモコンモジュール２８内に設けられている。そして、赤外線を発光する発光素子としての赤外ＬＥＤ１６および赤外線を受光する受光素子としてのフォトトランジスタ１８が器具本体６の下面６ａに設けられた孔３７，３８にそれぞれ露出している。赤外ＬＥＤ１６およびフォトトランジスタ１８は、図３に示すように、それぞれ基板３９，４０に実装され、この基板３９，４０がリモコンモジュール２８に取り付けられている。そして、赤外ＬＥＤ１６から放射された赤外線信号（パルス信号）がフォトトランジスタ１８に受信されるように、フォトトランジスタ１８を赤外ＬＥＤ１６よりも器具本体６の底面６ｂ側に位置させている。
【００３５】
赤外ＬＥＤ発光部１７（図３において図示しない。）は、赤外ＬＥＤ１６から定期的に、例えば１秒間隔でパルス信号（例えば２ミリ秒幅）を送信させるとともに、誘導灯器具１に対する外部のリモコン装置４１に対して、ランプ１０と非常用電源１１の点検動作による点検結果の情報信号を送信可能に構成されている。
【００３６】
また、赤外線受光検知部１９（図３において図示しない。）は、フォトトランジスタ１８が赤外ＬＥＤ発光部１７から送信されたパルス信号を直接的に受信するとともに、外部のリモコン装置４１から送信されたランプ１０と非常用電源１１の点検動作の指令信号を受信可能に構成されている。ここで、「直接的に」とは、赤外ＬＥＤ発光部１７から送信されたパルス信号が直線経路を変更することなくフォトトランジスタ１８に受信されることを意味する。当該パルス信号が赤外線透過部材を通過するときの若干の経路変更および器具本体６内での内部反射は許容されるものである
【００３７】
遮断部材２０は、器具本体６の下部側において、赤外ＬＥＤ１６およびフォトトランジスタ１８の中間に介在可能に設けられ、図３に示すように、四角柱状体４２および一端側２０ａの四角柱状体４２の一面４２ａに四角柱状体４２と一体的に設けられた長方形状の突出体４３を有している。
【００３８】
そして、図３（ａ）に示すように、四角柱状体４２の一面４２ａに対する一端側２０ａの両側面４２ｂ，４２ｂおよび突出体４３の両側面４３ａ，４３ａには、四角柱状体４２および突出体４３に連通し、所定長の深さを有する一対の溝４４，４４が形成されている。また、他端側２０ｂの四角柱状体４２の両側面４２ｂ，４２ｂには、所定長の深さを有する一対の溝４５，４５が形成されている。
【００３９】
器具本体６の下面６ａには、長方形状の孔４６が設けられている。遮断部材２０は、一端側２０ａの一部が器具本体６の下面６ａから突出するように、かつ前記孔４６を閉塞するようにして配設されている。すなわち、遮断部材２０は、溝４４，４４に挿入された支持片４７ａ，４７ａを有して器具本体６の底面６ｂに取り付けられた一対の取付部材４７，４７および溝４５，４５に挿入された支持片４８ａ，４８ａを有してリモコンモジュール２８に取り付けられた一対の取付部材４８，４８により支持されている。このとき、遮断部材２０の突出体４３の上面４３ｂが器具本体６の底面６ｂよりも器具本体６内になるようにしている。取付部材４７，４７の支持片４７ａ，４７ａおよび取付部材４８，４８の支持片４８ａ，４８ａは、遮断部材２０が移動するときのレールの役目も果たすものである。遮断部材２０、取付部材４７，４７および取付部材４８，４８は、パルス信号遮断手段を構成している。
【００４０】
そして、遮断部材２０の突出体４３は、図３（ｂ）に示すように、前面４３ｃに伸縮ばね４９の一端が固定されている。伸縮ばね４９の他端は、器具本体６の底面６ｂに取り付けられた取付部材５０に固定されている。伸縮ばね４９が伸びた状態においては、遮断部材２０の一端側２０ａが器具本体６の下面６ａの孔４６の縁部４６ａに当接し、突出体４３が赤外ＬＥＤ１６およびフォトトランジスタ１８の間に位置するようにしている。
【００４１】
そして、遮断部材２０の一端側２０ａを孔４６の縁部４６ａ側から縁部４６ｂ側に押圧すると、伸縮ばね４９が縮み、遮断部材２０は、取付部材４７，４７の支持片４７ａ，４７ａおよび取付部材４８，４８の支持片４８ａ，４８ａに沿って孔４６の縁部４６ｂに当接するまで移動する。このとき、遮断部材２０の四角柱状体４２が赤外ＬＥＤ１６およびフォトトランジスタ１８の間に介在するようになり、四角柱状体４２によって、赤外ＬＥＤ１６から送信されてフォトトランジスタ１８に直接的に受信されているパルス信号が遮断される。
【００４２】
そして、遮断部材２０の押圧を解除すると、遮断部材２０は、伸縮ばね４９の弾性復帰力により孔４６の縁部４６ｂ側から縁部４６ａ側に移動し、孔４６の縁部４６ａに当接する。遮断部材２０の四角柱状体４２は、赤外ＬＥＤ１６およびフォトトランジスタ１８の間に介在しなくなり、赤外ＬＥＤ１６から定期的に送信されているパルス信号がフォトトランジスタ１８に直接的に受信されるようになる。
【００４３】
図５において、制御部２１は、操作部１５での引き紐３６による操作、赤外線受光検知部１９での点検動作の指令信号の受信または制御装置４からの点検動作の指令信号に応じて、ランプ１０および非常用電源１１の点検動作を実行させる第１の制御信号を電源部１２に出力するように構成されている。すなわち、電源部１２に対して通常時の状態から非常時の状態に強制的に変更させ、ランプ１０と非常用電源１１の点検を実行する。当該点検は、例えばランプ１０の断線等のランプ異常の有無であり、また、非常用電源１１からの電力にてランプ１０が点灯するか、あるいは非常用電源１１は所定時間に亘ってランプ１０を点灯させる電力を有しているか等、非常時の点灯動作に不具合を生じさせるか否かなどである。
【００４４】
点検結果は、記憶部２２に記憶されるとともに、モニター部１４の充電モニター３１や点灯モニター３２を用いて表示され、リモコン装置４１において赤外ＬＥＤ発光部１７から返信された点検結果の情報により確認される。また、制御装置４からの要求信号により表示部５１（図４に示す。）おいて表示される。
【００４５】
また、制御部２１は、遮断部材２０の四角柱状体４２が赤外ＬＥＤ１６およびフォトトランジスタ１８の間に介在されて、赤外ＬＥＤ発光部１７から定期的に送信されているパルス信号が所定期間例えば３秒間に亘って赤外ＬＥＤ１６に受信されていないことを検出すると、遮断部材２０に対して所定の操作が実行されたと判断し、所定の操作内容を記憶部２２に記憶させる第２の制御信号を出力するように構成されている。
【００４６】
遮断部材２０の四角柱状体４２を赤外ＬＥＤ１６およびフォトトランジスタ１８の間に介在させる所定の操作は、例えばランプ１０を新品に交換したときに行うことができる。そして、制御部２１は、制御装置４やリモコン装置４１からの要求信号に応じて、記憶部２２から所定の操作内容を読み出し、制御装置４側やリモコン装置４１側に送信させるように構成されている。
【００４７】
また、制御部２１は、赤外線受光検知部１９がリモコン装置４１から送信された点検動作の指令信号や要求信号などの赤外線信号を受信したときに、赤外ＬＥＤ発光部１７に対して定期的に送信しているパルス信号の送信を停止させるように構成されている。これにより、赤外線受光検知部１９は、前記パルス信号および前記赤外線信号の混信が防止され、制御部２１は、前記赤外線信号を容易に判断して制御が行える。
【００４８】
記憶部２２は、誘導灯器具１を識別するための固有ＩＤであるアドレスを記憶している。また、上記所定の操作の内容と、ランプ１０と非常用電源１１の点検に対する点検結果の情報をそれぞれ記憶するように構成されている。
【００４９】
そして、伝送部２３は、伝送用端子台５２（図１に示す。）において伝送線７に接続されており、制御装置４から送信された点検動作の指令信号や要求信号を受信して制御部２１に伝送し、点検動作による点検結果の情報や所定の操作内容の情報などを制御装置４側へ送信するように構成されている。
【００５０】
次に本発明の第１の実施形態の作用について述べる。
【００５１】
ランプ１０は、冷陰極蛍光ランプであり長寿命であるが、やはり所定期間に亘って点灯されると、寿命となる。これにより、ランプ１０は、新品とランプ交換される。ランプ交換するには、図１において、取付バネ７を解除して、器具本体６から化粧枠９を取り外す。これにより、器具本体６の内部が開放される。そして、ランプソケット２９，２９に新品のランプ１０を取り付ける。
【００５２】
リモコンモジュール２８の赤外ＬＥＤ１６からは、定期的にパルス信号が放射されており、当該パルス信号は、フォトトランジスタ１８で受信されて赤外線受光検知部１９で検出されている。
【００５３】
ランプ交換をしたときに、器具本体６の下面６ａから突出している遮断部材２０の一端側２０ａを例えば指等で下面６ａの孔４６の縁部４６ａ側から縁部４６ｂ側の方向（図２中、右側方向）に押圧すると、図３（ｂ）に示すように、遮断部材２０は、孔４６の縁部４６ｂ側に移動して縁部４６ｂに当接する。このとき、遮断部材２０の四角柱状体４２が赤外ＬＥＤ１６およびフォトトランジスタ１８の間に介在し、フォトトランジスタ１８で受信されている前記パルス信号を遮断する。フォトトランジスタ１８は、前記パルス信号を受信しなくなり、赤外線受光検知部１９は、前記パルス信号を検出しなくなる。そして、制御部２１は、赤外線受光検知部１９が前記パルス信号を検出しなくなったことを検知する。
【００５４】
そして、遮断部材２０を孔４６の縁部４６ｂに当接している状態を所定期間例えば３秒以上継続すると、制御部２１は、第１の制御信号を出力し、所定の操作内容であるランプ交換の情報を記憶部２２に記憶させる。そして、遮断部材２０から指等を離して遮断部材２０の押圧を解除すると、伸縮ばね４９の弾性復帰力により、遮断部材２０は押圧前の位置に復帰する。赤外ＬＥＤ１６およびフォトトランジスタ１８の間には、遮断部材２０の四角柱状体４２が介在しなくなり、赤外ＬＥＤ発光部１７から定期的に送信されているパルス信号は、フォトトランジスタ１８に受信される。
【００５５】
記憶部２２に記憶されたランプ交換の情報は、制御装置４からの要求信号に応じて、制御部２１の制御により、記憶部２２から読み出されて、伝送部２３から伝送線２を介して制御装置４側に送信される。そして、制御装置４の表示部５１において、ランプ交換の履歴が表示される。
【００５６】
また、リモコン装置４１からの要求信号に応じて、記憶部２２からランプ交換の情報が読み出され、赤外ＬＥＤ発光部１７および赤外ＬＥＤ１６からリモコン装置４１側に送信される。そして、リモコン装置４１の表示部において、ランプ交換の履歴を確認することができる。
【００５７】
上述したように、ランプ交換をしたときに遮断部材２０を移動させて、赤外ＬＥＤ発光部１７から定期的に送信されているパルス信号を所定期間例えば３秒間に亘って赤外ＬＥＤ１６に受信させなくすることにより、制御部２１は、所定の操作であるランプ交換が実行されたものと判断し、第２の制御信号を出力して所定の操作内容（ランプ交換）を記憶部２２に記憶させ、制御装置４やリモコン装置４１に出力する。すなわち、制御部２１は、第２の制御信号により誘導灯器具１を制御するものである。
【００５８】
従来、ランプ交換したとき、所定の操作として例えばリモコン装置４１から制御信号を送信し、あるいは器具本体６に設けたスイッチを操作することでランプ交換の情報を記憶部２２に記憶させることが行われている。しかし、ランプ交換したときにリモコン装置４１を操作することは、煩わしいと欠点があった。また、器具本体６にスイッチを設けると、スイッチと制御部２１を接続するリード線の配線を行う必要があり、リード線を接続する接続端子やコネクタピンなどが増加するという欠点があった。
【００５９】
したがって、遮断部材２０を移動させることにより、所定の操作による誘導灯器具１の制御（ランプ交換の情報の記憶および出力）が行えるので、所定の操作を制御部２１に検知させるために、リード線の配線およびリード線を接続する接続端子やコネクタピンなどの増加が不要となり、この結果、誘導灯器具１の省スペース化、低コスト化を図ることができる。
【００６０】
そして、制御部２１は、赤外線受光検知部１９がリモコン装置４１から送信された点検動作の指令信号や要求信号などの赤外線信号を受信したときに、赤外ＬＥＤ発光部１７に対して定期的に送信しているパルス信号の送信を停止させるので、赤外線受光検知部１９において、パルス信号および前記赤外線信号の混信が防止される。これにより、制御部２１は、リモコン装置４１から送信された赤外線信号を容易に判断することができ、当該赤外線信号に応じた第１の制御信号を出力することができる。したがって、誘導灯器具１の制御の誤動作を防止することができる。
【００６１】
なお、遮断部材２０は、通常時、赤外ＬＥＤ発光部１７から定期的に送信されているパルス信号を遮断しており、ランプ交換されたときに移動させるように構成されてもよい。この場合、制御部２１は、赤外ＬＥＤ１６が所定期間例えば３秒以上に亘ってパルス信号を受信すると、所定の操作が実行されたものと判断し、第２の制御信号を出力して、記憶部２２にランプ交換の情報を記憶させる。
【００６２】
また、遮断部材２０は、移動させることによって赤外ＬＥＤ１６およびフォトトランジスタ１８の間に介在させるようにしたが、これに限らず、例えば器具本体６内の赤外ＬＥＤ１６およびフォトトランジスタ１８の前面側に配設してもよい。そして、例えば遮断部材２０を移動させることによって、赤外ＬＥＤ１６から放射されるパルス信号を反射させ、または反射させないことにより、パルス信号を赤外線受光検知部１９に受信させ、または受信させにいように構成されていてもよい。
【００６３】
次に、本発明の第２の実施形態について説明する。
【００６４】
図６は、本発明の第２の実施形態を示すリモコン機能付き装置の電気装置の構成を示すブロック図である。なお、図５と同一部分には同一符号を付して説明は省略する。
【００６５】
図６に示すリモコン機能付き装置の電気装置５３は、リモコン装置４１を用いて負荷５４がオンオフ制御される例えば照明装置である。負荷５４は、例えば電球であり、交流電源Ｖｓに直列的に接続されており、グローブ５５で覆われている。
【００６６】
リモコン機能付き装置の電気装置としての照明装置５３は、交流電源Ｖｓに接続されている電源部５５、各種制御を行う制御手段としての制御部５６、赤外ＬＥＤ１６を有する赤外ＬＥＤ発光部１７、赤外線を受光するフォトトランジスタ１８を有する赤外線受光検知部１９、パルス信号遮断手段を構成する遮断部材２０、計時部５７、負荷としての電球５４のオンオフを反転制御する負荷制御インターフェース（Ｉ／Ｆ）部５８を有して構成されている。
【００６７】
電源部５５は、交流電源Ｖｓの交流電圧を所定の直流電圧に変換して、回路駆動電源を生成する。制御部５６は、電源部５５からの回路駆動電源により駆動するマイクロコンピュータを有してなり、負荷制御Ｉ／Ｆ部５８の制御など、各種制御を行うように構成されている。
【００６８】
赤外ＬＥＤ発光部１７は、赤外ＬＥＤ１６から定期的にパルス信号を送信するとともに、リモコン装置４１に対してリモコン装置４１から送信された制御信号に対する返信信号や所定の操作内容の情報信号などの赤外線信号を送信可能に構成されている。赤外ＬＥＤ１６および赤外ＬＥＤ発光部１７は、赤外線送信手段を形成している。
【００６９】
また、赤外線受光検知部１９は、フォトトランジスタ１８により、赤外ＬＥＤ１６から放射されたパルス信号を受信し、リモコン装置４１から送信された負荷５４のオンオフ制御信号や要求信号などの赤外線信号を受信可能に構成されている。フォトトランジスタ１８および赤外線受光検知部１９は、赤外線受信手段を形成している。
【００７０】
遮断部材２０は、例えばランプ交換されたときに、赤外ＬＥＤ１６およびフォトトランジスタ１８との間に介在しまたは介在しなくなるように移動される。
【００７１】
制御部５６は、赤外ＬＥＤ１６および赤外ＬＥＤ発光部１７がリモコン装置４１から送信された赤外線信号を受信すると、当該赤外線信号に応じた制御信号（第１の制御信号）を出力するように構成されている。例えば、当該赤外線信号が電球５４をオンオフさせる制御信号であると、負荷制御Ｉ／Ｆ部５８に電球５４のオンオフを反転制御する制御信号を送出する。
【００７２】
また、制御部５６は、遮断部材２０が赤外ＬＥＤ１６およびフォトトランジスタ１８との間に介在されまたは介在されなくなり、赤外線受光検知部１９が赤外ＬＥＤ発光部１７から定期的に送信されているパルス信号を所定期間例えば３秒以上に亘って検出しなくなりまたは検出すると、ランプ交換による所定の操作が実行されたものと判断して、第２の制御信号を出力するように構成されている。この第２の制御信号に応じて、計時部５７の計時がリセットされる。
【００７３】
計時部５７は、ランプ交換されたときからの電球５４の累積点灯時間を計時するように構成されている。計時部５７が電球５４の例えば定格寿命時間を計時すると、制御部５６は、電球５８の交換時期であることを図示しない表示部に表示させ、あるいは負荷制御Ｉ／Ｆ部５８を制御して電球５４を点滅させて報知させるものである。
【００７４】
負荷制御Ｉ／Ｆ部５８は、例えばリレーを備え、制御部５６からの第１の制御信号により電球４３のオンオフを反転制御するように構成されている。
【００７５】
上述したように、電球４３の交換が行われたときに、遮断部材２０を所定期間例えば３秒以上に亘って赤外ＬＥＤ１６およびフォトトランジスタ１８との間に介在させまたは介在させなくすることにより、計時部５７で計時された累積点灯時間がリセットされる。
【００７６】
当該リセットを行うリセットスイッチが設けられると、制御部５６とリセットスイッチを接続する配線が必要となり、リード線を接続する接続端子やコネクタピンの数量も増加するおそれがある。したがって、遮断部材２０が設けられていることにより、前記配線、接続端子やコネクタピンの増加が不要となるので、照明装置５３の省スペース化や低コスト化を図ることができる。
【００７７】
リモコン機能付き装置の電気装置５３は、上記照明装置の他に、負荷５４を例えば換気装置やエアコンで構成することができる。そして、例えばフィルターを交換したときに遮断部材２０を移動させるようにして計時部５７の計時をリセットさせ、計時部５７がフィルターの交換時間を計時したときに、制御部５６が図示しない表示部にフィルターの交換時期であることを表示させることもできる。
【図面の簡単な説明】
【００７８】
【図１】本発明の第１の実施形態を示す誘導灯器具であり、（ａ）は一部切り欠き概略正面図、（ｂ）は概略側面図。
【図２】同じく、誘導灯器具の一部概略下面図。
【図３】同じく、誘導灯器具であり、（ａ）は一部概略側断面図、（ｂ）は（ａ）のＡ−Ａ方向の概略断面図。
【図４】同じく、誘導灯器具点検システムの全体構成を示すブロッ図。
【図５】同じく、誘導灯器具の構成を示すブロック図。
【図６】本発明の第２の実施形態を示すリモコン機能付き電気装置の構成を示すブロック図。
【符号の説明】
【００７９】
１…リモコン機能付き非常用照明装置としての誘導灯器具
１０…ランプ
１１…非常用電源
１２…点検手段を構成する電源部
１３…点灯回路
１５…点検手段を構成する操作部
１７…赤外線送信手段を構成する赤外ＬＥＤ発光部
１９…赤外線受信手段を構成する赤外受光検知部
２０…パルス信号遮断手段を構成する遮断部材
２１，５６…制御手段としての制御部
５３…リモコン機能付き電気装置としての照明装置
【図１】
2008066958.tif 000003
【図２】
2008066958.tif 000004
【図３】
2008066958.tif 000005
【図４】
2008066958.tif 000006
【図５】
2008066958.tif 000007
【図６】
2008066958.tif 000008